(57)【要約】本発明のさまざまな局面に従った危険制御システムが、危険の検出に応答して制御物質を送達するように構成されている。一実施形態において、危険制御システムは、内部圧力を有し、熱への曝露に応答して漏出するように構成されている圧力チューブを備えている。漏出は内部圧力を変え、空気信号を生成する。火災検知器はまた、火災に関連した火災条件を検出し得る。弁は、火災検知器および圧力チューブに結合され得る。弁は、火災検知器からの信号に応答して内部圧力を変え、空気信号を生成するように構成されている。空気信号は、送達システムをトリガーし制御物質を送達する。
2010533907.tif 000002
【特許請求の範囲】
【請求項１】
火災検知器に結合された火災制御システムであって、該火災制御システムは、空気信号に応答して消火剤を送達するように構成され、該システムは、
内部圧力を有する圧力チューブであって、該圧力チューブの少なくとも一部分は、熱への曝露に応答して漏出するように構成され、該漏出は、内部圧力を変え、空気信号を生成する、圧力チューブと、
該火災検知器および該圧力チューブに結合された弁であって、該弁は、該火災検知器からの信号に応答して該内部圧力を変え、空気信号を生成するように構成されている、弁と
を備えている、システム。
【請求項２】
前記圧力チューブに結合された手動で操作される弁をさらに備えている、請求項１に記載の火災制御システム。
【請求項３】
ハウジングをさらに備え、該ハウジングは、前記火災検知器と前記チューブとの少なくとも一部分を収容する、請求項１に記載の火災制御システム。
【請求項４】
前記ハウジングは、少なくとも部分的に、
前記火災検知器に接続された電源接続と、
該火災検知器に接続された第一の電池と、
前記弁に接続された第二の電池と
を備えている、請求項３に記載の火災制御システム。
【請求項５】
前記ハウジングは、該ハウジングを通して規定された穴を有し、
前記圧力チューブは、該穴を通して該弁に結合するように配置されている、
請求項３に記載の火災制御システム。
【請求項６】
前記圧力チューブに結合されたスイッチをさらに備え、該スイッチは、該圧力チューブの前記内部圧力の変化に応答して電気信号を生成するようにさらに構成されている、請求項１に記載の火災制御システム。
【請求項７】
火災検知器に結合された火災制御システムであって、該システムは、
消火剤を貯蔵するように構成されている容器と、
内部圧力を有する圧力チューブであって、該圧力チューブの少なくとも一部分は、選択された温度への曝露に応答して漏出するように構成されている、圧力チューブと、
該容器および該圧力チューブに結合されたノズルであって、該ノズルは、該圧力チューブの該内部圧力の変化に応答して該消火剤を選択的に送るように構成されている、ノズルと、
該火災検知器および該圧力チューブに結合された弁であって、該弁は、該火災検知器からの信号に応答して該圧力チューブの中の該内部圧力を変えるように構成されている、
弁と
を備えている、システム。
【請求項８】
前記圧力チューブに結合された手動で操作される弁をさらに備えている、請求項７に記載の火災制御システム。
【請求項９】
ハウジングをさらに備え、該ハウジングは、前記火災検知器と前記弁との少なくとも一部分を収容する、請求項７に記載の火災制御システム。
【請求項１０】
前記ハウジングは、少なくとも部分的に、
前記火災検知器に接続された電源接続と、
該火災検知器に接続された第一の電池と、
前記弁に接続された第二の電池と
を収容する、請求項９に記載の火災制御システム。
【請求項１１】
前記ハウジングは、該ハウジングを通して規定された穴を有し、
前記圧力チューブは、該穴を通して該弁に結合するように配置されている、
請求項９に記載の火災制御システム。
【請求項１２】
前記圧力チューブに結合されたスイッチをさらに備え、該スイッチは、該圧力チューブの前記内部圧力の変化に応答して電気信号を生成するようにさらに構成されている、請求項７に記載の火災制御システム。
【請求項１３】
火災検知器に結合された火災制御システムを形成する方法であって、該方法は、
消火剤を貯蔵するように構成されている容器を提供することと、
内部圧力を有して動作するように構成されている圧力チューブを提供することであって、該圧力チューブの少なくとも一部分は、第一の火災条件に応答して漏出するように構成されている、ことと、
ノズルを該容器および該圧力チューブに結合することであって、該ノズルは、該圧力チューブの該内部圧力に応答して該消火剤を選択的に送るように構成されている、ことと、
弁を該火災検知器および該圧力チューブに結合することであって、該弁は、該火災検知器からの信号に応答して該圧力チューブの中の該内部圧力を変えるように構成されている、ことと
を包含する、方法。
【請求項１４】
前記圧力チューブに結合された手動で操作される弁を結合することをさらに包含する、請求項１３に記載の方法。
【請求項１５】
ハウジングを提供することをさらに包含し、該ハウジングは、前記火災検知器と前記弁との少なくとも一部分を収容する、請求項１３に記載の方法。
【請求項１６】
前記ハウジングは、少なくとも部分的に、
前記火災検知器に接続された電源接続と、
該火災検知器に接続された第一の電池と、
前記弁に接続された第二の電池と
を収容する、請求項１５に記載の方法。
【請求項１７】
前記圧力チューブにスイッチを結合することをさらに包含し、該スイッチは、該圧力チューブの前記内部圧力の変化に応答して電気信号を生成するようにさらに構成されている、請求項１３に記載の方法。
【請求項１８】
前記ハウジングは、該ハウジングを通して規定された穴を有し、該方法は、
該穴を通して前記圧力チューブを配置することと、
前記弁に該圧力チューブを結合することと
をさらに包含する、請求項１５に記載の方法。
【発明の詳細な説明】
【背景技術】
【０００１】
（発明の背景）
危険制御システムは、しばしば、煙探知機、制御盤、および消火システムを含む。煙探知機が煙を検出するとき、煙探知機は、制御盤に信号を送信する。制御盤は、次いで、典型的には、警報を鳴らし、煙探知機によって監視される領域の中にある消火システムをトリガーする。しかしながら、そのようなシステムは、複雑であり、相当な設置の時間およびコストを必要とする。加えて、そのようなシステムは、機能不全または電力の低下の場合には、故障しやすい可能性がある。
【発明の概要】
【課題を解決するための手段】
【０００２】
本発明のさまざまな局面に従った危険制御システムは、危険の検出に応答して制御物質を送達するように構成されている。一実施形態において、危険制御システムは、内部圧力を有し、熱への曝露に応答して漏出するように構成されている、圧力チューブを含む。漏出は、内部圧力を変え、空気信号を生成する。火災検知器はまた、火災に関連した火災条件を検出し得る。弁は、火災検知器および圧力チューブに結合され得る。弁は、火災検知器からの信号に応答して内部圧力を変え、空気信号を生成するように構成されている。空気信号は、送達システムをトリガーし制御物質を送達する。
【図面の簡単な説明】
【０００３】
本発明のより完全な理解は、以下の例示的な図と結びつけて考慮されるときに、詳細な説明および特許請求の範囲を参照することによって得られ得る。以下の図において、同様な番号は、図の全体にわたって類似の要素およびステップを指す。
【図１】図１は、本発明のさまざまな局面に従った危険制御システムのブロック図である。
【図２】図２は、危険制御システムの一実施形態を代表的に図示する。
【図３】図３は、ハウジングを含む危険検出システムの分解組立図である。
【図４】図４は、危険を制御するプロセスのフロー図である。
【０００４】
図における要素およびステップは、単純さおよび明快さのために図示され、必ずしも任意の特定の順番に従って行われていない。例えば、同時にまたは異なる順番で実行され得るステップは、図に例示され、本発明の実施形態の理解を向上することを助ける。
【発明を実施するための形態】
【０００５】
（例示的な実施形態の詳細な説明）
本発明は、機能ブロックの構成要素およびさまざまな処理ステップの点から説明され得る。そのような機能ブロックは、任意の数のハードウェア構成要素またはソフトウェア構成要素によって実現され得、任意の数のハードウェア構成要素またはソフトウェア構成要素は、特定の機能を実行してさまざまな結果を達成するように構成されている。例えば、本発明は、さまざまな容器、センサー、検出器、制御物質、弁などを使用し得、それらは、多様な機能を果たし得る。加えて、本発明は、任意の数の危険と連結して実施され得、説明されるシステムは、本発明に関する一つの例示的な適用にすぎない。さらには、本発明は、制御物質を送達すること、危険条件を感知すること、弁を制御することなどのために、任意の数の従来技術を使用し得る。
【０００６】
ここで図１を参照すると、本発明のさまざまな局面に従って危険を制御する危険制御システム１００が、制御物質（例えば、火災を消火する消火剤）を提供する制御物質供給源１０１を備え得る。危険制御システム１００は、一つ以上の危険を検出する危険検出システム１０５（例えば、煙探知機、放射線検出器、熱センサー、またはガスセンサー）をさらに備え得る。危険制御システム１００は、送達システム１０７（例えば、容器１０２に結合されたノズル１０８）をさらに備え、危険検出システム１０５に応答して制御物質を危険領域１０６に送達する。
【０００７】
危険領域１０６は、危険を受け得る領域であり、危険は、危険制御システム１００によって制御される。例えば、危険領域１０６は、キャビネット、デバイス、車両、エンクロージャ、および／または他の領域の内部を含み得る。あるいは、危険領域は、開いた領域を含み得、開いた領域は、危険制御システム１００によって影響され得る。
【０００８】
制御物質供給源は、任意の適切な制御物質の供給源（例えば、制御物質を収容する貯蔵設備）を含み得る。図２を参照すると、制御物質の供給源は、容器１０２を備え得、容器１０２は、危険を制御するための制御物質を貯蔵するように構成されている。制御物質は、一つ以上の危険を無力化するか、または一つ以上の危険に対抗するように構成され得る（例えば、消火剤または酸中和剤）。容器１０２は、制御物質を貯蔵および／または提供するための任意の適したシステム（例えば、タンク、加圧ボトル、リザーバ、または他の容器）を含み得る。容器１０２は、さまざまな動作条件に耐えるように構成され得る。容器１０２は、任意の適切な基準（例えば、腐食、コスト、変形、破損など）に従って、さまざまな物質、形状、寸法、およびコーティングを備え得る。
【０００９】
容器１０２および制御物質は、具体的な危険および／または環境に従って構成され得る。例えば、危険制御システム１００が危険領域１０６を制御し、その結果、危険領域１０６が低酸素レベルを維持するように構成されている場合には、容器１０２は、制御物質を提供するように構成され得、制御物質は、危険領域１０６の中に送られるとき、酸素レベルを吸収するか、または希薄化する。別の例として、危険制御システム１００が危険領域１０６を制御し、その結果、危険領域１０６内の機器が実質的に熱放射から保護される場合には、容器１０２は、消火剤を提供するように構成され得、消火剤は、危険領域１０６の中に送られるとき熱放射を吸収する。
【００１０】
送達システム１０７は、制御物質を危険領域１０６に送達するように構成されている。送達システム１０７は、制御物質を送達するための任意の適切なシステムを備え得る。本実施形態において、送達システム１０７は、ノズル１０８を含み、ノズル１０８は、容器１０２に接続され、危険領域１０６の中または危険領域１０６に隣接して配置され、その結果、ノズル１０８から出る制御物質は、危険領域１０６の中に堆積される。例えば、火災が危険領域１０６の中で検出される場合には、消火剤が、容器１０２からノズル１０８を通って危険領域１０６に送られて、火災を消火する。
【００１１】
ノズル１０８は、直接的または間接的に容器１０２と接続されて、制御物質を送達し得る。例えば、ノズル１０８は、配備弁１０３を介して間接的に容器１０２と接続され、配備弁１０３は、ノズル１０８を介する制御物質の配置を制御する。所望される場合には、配備弁１０３は、ノズル１０８を通じて制御物質の量またはタイプが送達されるかどうかを制御する。配備弁１０３は、任意の適切な機構を備え得、配備される制御物質をノズル１０８を介して選択的に提供し、任意の適切な機構は、例えば、ボールコック（ｂａｌｌ  ｃｏｃｋ）、ボール弁、水栓、ブラスト弁、蝶形弁、チェックバルブ、ダブルチェックバルブ、電気機械隔壁、電気機械ねじ、電気機械スイッチ、フリーズ（ｆｒｅｅｚｅ）バルブ、ゲート弁、玉形弁、ハイドロリックバルブ、リーフ（ｌｅａｆ）バルブ、逆止め弁、パイロット弁、ピストン弁、プラグ弁、空気弁、プレスタ（Ｐｒｅｓｔａ）バルブ、回転弁、シュレーダー（Ｓｈｒａｄｅｒ）バルブ、電磁弁などである。本実施形態において、配備弁１０３は、信号（例えば、危険検出システム１０５からの空気（ｐｎｅｕｍａｔｉｃ）信号）に応答し、それに応じてノズル１０８を介する消火剤の送達を制御する。
【００１２】
危険検出システム１０５は、検出された危険に応答して危険信号を生成する。危険検出システム１０５は、一つ以上の特定の危険を検出し、対応する信号を生成する任意の適切なシステム（例えば、煙、熱、毒物、放射線などを検出するシステム）を備え得る。本実施形態において、危険検出システム１０５は、火災を検出して配備弁１０３に対応する信号を提供するように構成されている。危険信号は、関連する情報を送信するための任意の適切な信号（例えば、電気パルスまたは電気信号、音響信号、機械信号、ワイヤレス信号、空気信号など）を備え得る。本実施形態において、危険信号は、空気信号を備え得、空気信号は、危険条件の検出に応答して生成され、配備弁１０３に提供され、配備弁１０３は、信号に応答して消火剤を送達する。危険検出システム１０５は、任意の適した態様で、例えば、従来の危険と連結して（例えば、煙探知機、ヒュージブルリンク、赤外線検出器、放射線検出器、または他の適したセンサー）、危険信号を生成し得る。危険検出システム１０５は、一つ以上の危険を検出して対応する信号を生成する（または終端させる）。
【００１３】
本実施形態において、危険検出システム１０５は、圧力チューブ１０４を含み、圧力チューブ１０４は、圧力チューブ１０４内の圧力の変化に応答して信号を生成するように構成されている。危険検出システムは、危険検出器（例えば、火災検知器１１０）をさらに備え得、危険検出器は、危険条件を検出した際に、例えば、圧力チューブ１０４に接続された弁１１２を介して圧力チューブ１０４の中の圧力を放出するように構成されている。
【００１４】
本実施形態において、危険検出システム１０５は、圧力チューブ１０４の中の圧力を変える（例えば、圧力チューブ１０４の中の圧力を放出する）ことによって空気信号を生成する。圧力チューブ１０４は、周囲圧力よりも高いかまたは低い内部圧力によって動作し得る。内部圧力を周囲圧力と等しくすることは、空気危険信号を生成する。内部圧力は、任意の適した態様で達成または持続され得、例えば、圧力チューブを加圧してシールすること、チューブをコンプレッサーまたは圧力ボトルのような独立した圧力供給源に接続すること、または圧力チューブ１０４を加圧された流体を有する容器１０２に接続することなどによって、達成または持続される。圧力チューブ１０４内の圧力の変化を送信するように構成され得る任意の流体が、用いられ得る。例えば、実質的に非圧縮性の流体（例えば、水ベースの流体）は、圧力の変化に応答して結合されたデバイスに信号を送るのに十分に、圧力チューブ１０４の温度の変化および／または圧力チューブ１０４の内部容積の変化に高感度であり得る。別の例として、実質的に不活性の流体（例えば、空気、窒素、またはアルゴン）は、圧力の変化に応答して結合されたデバイスに信号を送るのに十分に、圧力チューブ１０４の温度の変化および／または圧力チューブ１０４の内部容積の変化に高感度であり得る。圧力チューブ１０４は、適切な物質を備え得、適切な物質は、ＦｉｒｅｔｒａｃｅＴＭ検出チュービング、アルミニウム、アルミニウム合金、セメント、セラミック、銅、銅合金、合成物、鉄、鉄合金、ニッケル、ニッケル合金、有機物質、ポリマー、チタン、チタン合金、ゴムなどを含む。圧力チューブ１０４は、所望される設計上の考慮事項（例えば、腐食、コスト、変形、破損、結合など）に従って、任意の適切な形状、寸法、物質、およびコーティングに従って構成され得る
圧力チューブ１０４内の圧力変化は、任意の原因または条件に基づいて生じ得る。例えば、チューブ内の圧力は、圧力チューブ１０４内の圧力の放出に応答して変化し得、例えば、圧力制御弁１１２の作動に起因して変化し得る。あるいは、圧力変化は、圧力チューブ１０４内の流体の温度の変化または圧力チューブ１０４内の流体の容量の変化によってもたらされ得、例えば、圧力制御弁１１２または伝熱システムの作動に応答して、もたらされ得る。本実施形態において、チューブ圧力の変化は、複数の機構によって引き起こされ得る。例えば、圧力チューブ１０４は、危険条件（例えば、穿孔、裂け目、変形、火災による熱への曝露、腐食、放射線、音響圧、周囲圧力の変化、具体的な固体または流体、機械的変化（例えば、結合された犠牲要素の引張り特性または引張り構成の変化）など）に応答して、劣化または漏出するように構成され得る。劣化の際に、圧力チューブ１０４は、圧力を失い、空気信号を生成する。
【００１５】
加えて、危険検出システム１０５は、外部システムを含み得、外部システムは、危険制御システム１００を作動させるように構成されている。さまざまな危険がさまざまな危険条件を生み出し、さまざまな危険条件は、危険検出システム１０５によって検出され得る。例えば、火災は、熱および煙を生み出し、熱および煙は、火災検知器１１０によって検出され得、火災検知器１１０が制御物質の送達を作動させることをもたらす。
【００１６】
本実施形態において、他のシステムは、（例えば、圧力制御弁１１２を介して）圧力チューブ１０４内の圧力を制御し得る。例えば、圧力制御弁１１２は、別の要素（例えば、火災検知器１１０）からの信号に応答して、圧力チューブ１０４内で圧力に影響を与えるように構成され得る。影響を受けた圧力は、圧力チューブ１０４内で圧力を選択的に変え、実質的に圧力チューブ１０４内の温度を圧力チューブ１０４の外部と等しくし、圧力チューブ１０４内の流体の温度を変えることなどを行うように弁１１２を構成することによって達成され得る。本実施形態において、火災検知器１１０は、火災を検出した際に圧力制御弁１１２を開き、圧力チューブ１０４内の圧力が漏れて空気信号を生成することを可能にする。
【００１７】
圧力制御弁１１２は、圧力チューブ１０４内の圧力を制御するために任意の適した機構を備え得、例えば、ボールコック、ボール弁、水栓、ブラスト弁、蝶形弁、チェックバルブ、ダブルチェックバルブ、電気機械隔壁、電気機械ねじ、電気機械スイッチ、フリーズバルブ、ゲート弁、玉形弁、ハイドロリックバルブ、リーフバルブ、逆止め弁、パイロット弁、ピストン弁、プラグ弁、空気弁、プレスタバルブ、回転弁、シュレーダーバルブ、電磁弁などを備え得る。本実施形態において、圧力制御弁１１２は、電力供給源に結合された電気機械システム（例えば、陸線電力供給源、電池など）を備えている。本実施形態において、圧力制御弁１１２は、ソレノイドを備え、ソレノイドは、約１２ボルトと約２４ボルトとの間で動作するように構成されている。圧力制御弁１１２は、物質、寸法、電力消費などの選択を変更することによって、圧力チューブ１０４内の圧力のさまざまな変化を達成するように構成され得る。
【００１８】
圧力制御弁１１２は、任意の適したシステムによって制御され得、トリガー事象に応答して圧力チューブ１０４内の圧力を変える。例えば、危険検出システム１０５は、さまざまな危険条件を検出するように構成され得、さまざまな危険条件は、トリガー事象を構成し得る。本実施形態において、火災検知器１１０は、火災に関連した状況を検出し得る。火災検知器１１０は、他の危険の検出器によって置き換えまたは補足され得、他の危険の検出器は、例えば、選択された物質、放射線レベル、および／または周波数、圧力、音響圧、温度、結合された犠牲要素の引張り特性などを有する入射に高感度なセンサーであり得る。火災検知器１１０は、従来の火災検知のための電子システム（例えば、イオン化検出器、質量分析計、光学検出器など）を適するように備えている。火災検知器１１０は、一つ以上の供給源（例えば、陸線電力接続、電池など）から電力を受け取り得る。
【００１９】
危険検出システム１０５は、圧力制御弁１１２を任意の適した信号を介して制御し得、任意の適した信号は、例えば、電線を介して送信される電気信号、電波、例えば電磁石による磁気信号、機械的相互作用、赤外線信号、音響信号などである。本実施形態において、火災検知器１１０および圧力制御弁１１２は、火災を検出した際に火災検知器１１０が電気信号を圧力制御弁１１２に送信するように構成され、電気信号は、圧力チューブ１０４内の圧力を変えることによって応答し、特に圧力制御弁１１２を開くことによって圧力を放出する。
【００２０】
火災検知器１１０、圧力チューブ１０４、および／または危険検出システム１０５の他の要素は、任意の多様な火災または他の危険条件のために構成され得る。例えば、危険検出システム１０５は、単一の危険条件（例えば、熱）を監視し得る。この構成において、圧力チューブ１０４および火災検知器１１０は、同じ危険条件の実質的に独立した検出システムとして働く。あるいは、危険は、複数の危険条件（例えば、熱および煙）と関連づけられ得、その場合、異なる検出器が異なる条件を監視し得る。この構成において、圧力チューブ１０４および火災検知器１１０は、複数のあり得る危険条件に基づいて危険制御を提供する。加えて、圧力チューブ１０４および火災検知器１１０は、部分的に同一の広がりを持つ危険条件に応答して危険検出を提供するように構成され得る。この構成において、圧力チューブ１０４および火災検知器１１０は、一部の危険条件に対して実質的に独立した検出システムを、他の危険条件に対して多様な入力危険条件に基づいて危険制御を提供し得る。複数の火災条件の組み合わせの複数性を仮定すると、これらの例は、網羅的ではなく、例示的である。
【００２１】
火災検知器１１０および圧力制御弁１１２は、通信および／または配備を促進するように任意の適した態様で構成され得る。例えば、一実施形態において、火災検知器１１０は、ワイヤレス送信機を含み得、圧力制御弁１１２は、ワイヤレス受信機を含んで火災検知器１１０からワイヤレス制御信号を受信し得、そのことは、圧力制御弁１１２に対する火災検知器１１０の遠隔配置を促進する。あるいは、火災検知器１１０、圧力制御弁１１２および／または、危険検出システムの他の要素は、配線接続、赤外線信号、音響信号などによって接続され得る。
【００２２】
図３を参照すると、火災検知器１１０、および圧力制御弁１１２は、少なくとも部分的にハウジング４００内に配置されて単一のユニットを形成し得る。ハウジング４００は、火災検知器１１０および圧力制御弁１１２の設置ならびにそれらへの電力供給を促進するように構成され得る。例えば、ハウジング４００は、火災検知器１１０を収容するための領域を含み得る（例えば、火災検知器１１０が周囲の雰囲気を感知することを可能にするスロットまたは他の曝露部を有する従来のハウジング）。ハウジング４００は、圧力制御弁１１２に対する領域をさらに含み得、その領域は、火災検知器１１０に接続されて火災検知器１１０から信号を受信し得る。
【００２３】
ハウジング４００は、実質的に圧力チューブ１０４の一部分を収容するようにさらに構成され得、圧力チューブ１０４の一部分は、圧力制御弁１１２によってチューブ１０４の中の圧力の制御を促進する。例えば、ハウジング４００は、一つ以上の開口部を含み得、一つ以上の開口部を通して、圧力チューブ１０４の端は、圧力制御弁１１２に接続され得る。ハウジング４００は、さまざまな物質を備え得、さまざまな物質は、アルミニウム、アルミニウム合金、セメント、セラミック、銅、銅合金、合成物、鉄、鉄合金、ニッケル、ニッケル合金、有機物質、ポリマー、チタン、チタン合金などを含む。ハウジング４００は、さまざまな設計上の考慮事項（例えば、腐食、コスト、変形、破損など）に従って、さまざまな形状、寸法、およびコーティングを備え得る。ハウジング４００は、周囲の条件に対して放射特性を含むように構成され得、これらの特性は、ハウジング４００の少なくとも一部分の中に、通気孔、穴、羽根板、透析膜、半透析膜、選択的透析膜などを含むことによって達成され得る。さらには、ハウジング４００は、複数のセクション４００Ａ−Ｃに解体されて設置および／または維持を促進し得る。
【００２４】
加えて、ハウジング４００は、システムの要素（例えば、火災検知器１１０および圧力制御弁１１２）に電力を提供するように構成され得る。電力供給源は、さまざまな要素に対して電力の任意の適切な形態および供給源を備え得る。例えば、電力供給源は、主電力供給源およびバックアップ電力供給源を含み得る。一実施形態において、主電力供給源は、従来の配電アウトレットから電力を受け取るための接続を備えている。バックアップ電力供給源は、主電力供給源の故障の場合に電力を提供するように構成され、任意の適した電力の供給源を備え得、任意の適した電力の供給源は、一つ以上のコンデンサー、電池、無停電電源、発電機、太陽電池などである。本実施形態において、バックアップ電力供給源は、ハウジング４００内に配置された二つの電池４０２、４０４を含む。第一の電池４０２は、火災検知器１１０にバックアップ電力を提供し、第二の電池４０４は、圧力制御弁１１２にバックアップ電力を提供する。一実施形態において、圧力制御弁１１２は、火災検知器１１０よりも大きい電力、より高価な、そして／またはより信頼性の低い電池を必要とする。こうして、弁の電池４０４は、火災検知器１１０に対するバックアップ電力をディセーブルすることなしに故障し得、バックアップ電力は、火災検知器の電池によって供給される。
【００２５】
図１を再び参照すると、危険制御システム１００は、自律的にまたは外部システムと連結して動作するようにさらに構成され得、例えば、建物などのための火災システム制御ユニット１０９と連結され得る。外部システムとの動作は、任意の適した態様で構成され得、例えば、警報を開始すること、危険制御システム１００の動作を制御すること、緊急サービスを自動的に知らせることなどを行う。例えば、危険制御システム１００は、通信インターフェースを含み得、通信インターフェースは、遠隔制御ユニットに接続され、検出された火災条件に応答して制御ユニット１０９に信号を送る。危険制御システム１００は、遠隔制御ユニット１０９からの信号に応答するように構成され得、例えば、危険制御システム１００に対して状態インジケーターを提供および／または危険制御システム１００を遠隔作動させる。
【００２６】
危険制御システム１００は、危険制御システムを制御および作動させるための付加的な要素をさらに備え得る。例えば、危険制御システムは、手動で危険制御システムを作動させるための手道システムを含み得る。再び図２を参照すると、本実施形態において、危険制御システム１００は、手動弁２０２を含み、手動弁２０２は、危険制御システム１００を手動で作動させるために構成されている。例えば、手動弁２０２は、圧力チューブ１０４に結合され得、その結果、手動弁２０２は、圧力チューブ１０４の内部圧力を放出し得る。手動弁２０２は、任意の適した態様で動作され得、例えば、弁の手動操作で、またはアクチュエーター（例えば、モーターなど）と連結して動作し得る。
【００２７】
手動弁２０２は、任意の適切な場所に配置され得、例えば、実質的に危険領域１０６の外側または危険領域１０６の中に配置され得る。手動弁２０２は、容器１０２、圧力チューブ１０４、圧力制御弁１１２などに結合され得る。例えば、手動弁２０２は、容器１０２との動作のために構成され得、その結果、手動弁２０２の作動は、消火剤をノズル１０８に向ける。手動弁２０２は、圧力チューブ１０４との動作のために構成され得、その結果、手動弁２０２の作動は、圧力チューブ１０４内の圧力に変化をもたらす。手動弁２０２は、圧力制御弁１１２との動作のためにさらに構成され得、その結果、手動弁２０２の作動は、圧力制御弁１１２の作動をもたらし、圧力チューブ１０４内の圧力の変化をもたらし、圧力チューブ１０４内の圧力の変化は、消火剤をノズル１０８に向けるのに十分である。
【００２８】
危険制御システム１００は、危険が検出された場合に付加的な応答を提供するためのシステムをさらに備え得、その結果、危険制御システム１００は、危険が検出された場合に消火剤を送達することに加えて、さらに応答を開始し得る。危険制御システム１００は、任意の適切な応答を促すように構成され得、任意の適切な応答は、例えば、緊急人員に警報を出すこと、承認されていない人員をある領域から立ち入り禁止にすること、ある領域の換気を終結または開始すること、危険な機械の作動をやめることなどがある。例えば、危険制御システム１００は、補足的圧力スイッチ３０２を備え得る。補足的圧力スイッチ３０２は、圧力チューブ１０４内の圧力の変化に関する情報を外部システムに送信することを促進し得、例えば、結合された圧力チューブ１０４内の圧力変化に応答して電気信号、機械信号、および／または他の適した信号を生成することであり得る。
【００２９】
一実施形態において、補足的圧力スイッチ３０２が、危険条件が危険制御システム１００によって検出されたときに危険条件を示す信号を生み出す場合には、補足的圧力スイッチ３０２は、危険領域１０６の近くにある機械に結合されて、機械への電力供給または燃料供給を切り得る。
【００３０】
他の実施形態において、危険制御システム１００は、複数の容器１０２、圧力チューブ１０４、ノズル１０８、圧力制御弁１１２、危険検出器１１０、手動弁２０２、および／または補足的圧力スイッチ３０２とともに構成され得る。例えば、危険領域１０６を制御することが、一緒に貯蔵され得ない複数のタイプの消火剤を引き出すことを含む場合か、または、予測された危険を消すことが、異なる消火剤が異なる時間に適用されることを必要とし得る場合には、例えば、危険制御システムは、単一のノズル１０８および危険検出器１１０に結合される複数の容器１０２を含むように構成され得る。別の例として、危険制御システム１００は、二つ以上の圧力チューブ１０４を含むように構成され得、二つ以上の圧力チューブ１０４は、単一のノズル１０８および危険検出器１１０に結合され、例えば、消火剤を送達する複数の経路を提供するか、または異なる火災条件に応答して異なる消火剤を引き出す。複数の要素の組み合わせを仮定すると、これらの例は、網羅的ではなく、例示的である。
【００３１】
図４を参照すると、動作中、危険制御システム１００は、危険検出システム１０５が危険条件の関連するインジケーターを感知し得るように最初に構成される（４１０）。例えば、圧力チューブ１０４は、部屋または他のエンクロージャの内部に曝露され得、その結果、火災の場合には、圧力チューブ１０４は、火災からの熱に曝露され得る。同様に、関連するセンサー（例えば、火災検知器１１０）は、危険が生じた場合には、関連する現象を管理するように位置決めされ得る。送達システム１０７はまた、制御物質を危険が生じ得る領域に送達するのに適しているように構成され得る（４１２）。
【００３２】
危険が生じたとき、危険検出システムは、危険を検出して危険制御システム１００を作動させ得る。例えば、火災の熱は、圧力チューブ１０４を劣化させ得（４１４）、圧力チューブ１０４の内部圧力が放出されることをもたらし、こうして空気信号を生成させる（４２０）。加えて、センサー（例えば、煙探知機）は、煙または別の関連する危険インジケーターを感知（４１６）して危険制御システム１００を作動させ得る。例えば、センサーは、圧力制御弁１１２を開き、同様に圧力チューブ１０４の中の圧力を放出して空気信号を生成し得る。さらには、信号は、他のシステム（例えば、外部システムまたは手動バルブ２０２）によって生成され得る（４１８）。
【００３３】
信号は、配備弁によって受信され、配備弁は、信号に応答して開き（４２２）、制御物質を送達する。制御物質は、送達システムを介して危険の領域に計量分配され（４２４）、危険を制御する傾向がある。信号はまた、受信および／または他のシステム（例えば、制御ユニット（４２６）および／または補足的圧力スイッチ３０２（４２８））に送信され得る。
【００３４】
危険を制御する方法に関するこれらおよび他の実施形態は、概念、実施形態、および構成を、上記で説明された危険を制御するための装置の実施形態に関して説明されたように組み込み得る。図示され、説明される特定の実装は、本発明およびその最良の実施形態について例示的であって、本発明の範囲を任意の方法で別なように制限するようには意図されていない。実際に、簡潔さのために、システムの従来の製造、接続、調製、および他の機能的局面は、詳細に説明されない可能性がある。さらには、さまざまな図に示された接続ラインは、さまざまな要素間の例示的な機能関係および／または物理的結合を表すように意図されている。多くの代わりのまたは付加的な機能関係あるいは物理的接続は、実践的なシステムの中に存在し得る。
【００３５】
本発明は、特定の例示的な実施形態を参照して説明されている。しかしながら、本発明の範囲から逸脱することなしに、さまざまな修正および変更が行われ得る。説明および図は、制限的な態様ではなく例示的な態様にあると見なされるべきであり、すべてのそのような修正は、本発明の範囲内に含まれているように意図されている。したがって、本発明の範囲は、上記で説明された特定の例のみによってではなく、説明された一般的な実施形態およびその法的な均等物によって決定されるべきである。例えば、任意の方法の実施形態またはプロセスの実施形態において列挙された複数のステップは、別なように明示的に特定されない場合には、任意の順序で実施され得、特定の例において提示された明白な順序に制限されるべきではない。加えて、任意の装置の実施形態において列挙される構成要素および／または要素は、多様な並べ替え順で組み立てられるか、別なように動作的に構成され得て、本発明と実質的に同じ結果を生成し、したがって特定の例において列挙される特定の構成に制限されるべきではない。
【００３６】
利益、他の利点および問題への解決策が、上記で特定の実施形態に関して説明されているが、任意の利益、利点、問題への解決策、あるいは、生じるべきまたはより明白になるべき任意の特定の利益、利点または解決策をもたらし得る任意の要素は、重大な、必要なまたは本質的な機構または構成要素として解釈されるべきではない。
【００３７】
本明細書で用いられるとき、用語「備える、含む、包含する（ｃｏｍｐｒｉｓｅ）」、「備える、含む、包含する（ｃｏｍｐｒｉｓｉｎｇ）」、または任意のその変化形は、排他的でない包含を言い、その結果、要素のリストを備えている処理、方法、物品、構成または装置は、列挙されたそれらの要素のみを含むのでなく、明示的でなくリストされたか、またはそのような処理、方法、物品、構成または装置に固有の他の要素をも含み得る。本発明の実践において用いられる、上記で説明された構造、配列、用途、比率、要素、物質または構成要素の他の組み合わせおよび／または修正は、特定的に列挙されていないものに加えて、上記同一のものの一般的原則から逸脱することなく、変えられ得るか、または特定の環境、製造仕様、設計パラメーターまたは他の動作要件に対して、別なように具体的に適合され得る。
【００３８】
本発明は、上記で好適な実施形態を参照して説明されている。しかしながら、本発明の精神から逸脱することなく、好適な実施形態への変更および修正が行われ得る。これらおよび他の変更は、以下の特許請求の範囲内に含まれるように意図されている。
【図１】
2010533907.tif 000003
【図２】
2010533907.tif 000004
【図３】
2010533907.tif 000005
【図４】
2010533907.tif 000006
【国際調査報告】
2010533907.tif 000007